(57)【要約】【課題】手術歴の把握を容易化する。【解決手段】診療支援システム１は、制御部１１、記憶部１２、識別情報付与部１３及び表示部１５を備えている。記憶部１２は、患者に対して実施された各手術の手術情報を記憶する。識別情報付与部１３は、予め指定された種類の手術（レーザ手術）の手術情報に対して特定手術識別情報を付与する。制御部１１は、特定手術識別情報が付与された手術情報を時系列に応じた順序で並べたリストを手術歴表示画面２０００の手術歴表示部２２００に表示させるとともに、特定手術識別情報が付与されていない手術情報を時系列に応じた順序で並べたリストを手術歴表示部２１００に表示させる。【選択図】図１
2008225984.tif 000002
【特許請求の範囲】
【請求項１】
患者に対して実施された各手術の手術情報を記憶する記憶手段と、
表示手段と、
予め指定された種類の手術の手術情報に対して識別情報を付与する付与手段と、
前記識別情報が付与された手術情報と前記識別情報が付与されていない手術情報とを異なる表示態様で前記表示手段に表示させる制御手段と、
を備えることを特徴とする診療支援システム。
【請求項２】
前記手術情報は、手術が実施された日時を表す手術日時情報を含み、
前記制御手段は、前記手術日時情報に基づいて、前記識別情報が付与された手術情報を時系列に応じて並べた第１のリスト情報と、前記識別情報が付与されていない手術情報を時系列に応じて並べた第２のリスト情報とを前記表示手段に表示させる、
ことを特徴とする請求項１に記載の診療支援システム。
【請求項３】
前記制御手段は、前記第１のリスト情報と前記第２のリスト情報とを並べて表示させる、
ことを特徴とする請求項２に記載の診療支援システム。
【請求項４】
前記手術情報は、手術が実施された日時を表す手術日時情報を含み、
前記制御手段は、前記手術日時情報に基づいて、前記識別情報が付与された手術情報と前記識別情報が付与されていない手術情報とを時系列に応じて並べたリスト情報を前記表示手段に表示させる、
ことを特徴とする請求項１に記載の診療支援システム。
【請求項５】
前記制御手段は、前記識別情報が付与された手術情報と前記識別情報が付与されていない手術情報とを異なる表示色で表示させる、
ことを特徴とする請求項４に記載の診療支援システム。
【請求項６】
前記制御手段は、前記識別情報が付与された手術情報及び前記識別情報が付与されていない手術情報のいずれか一方に対して付帯情報を表示させる、
ことを特徴とする請求項４に記載の診療支援システム。
【請求項７】
前記手術情報は、眼科手術についての情報であり、
前記予め指定された種類の手術は、レーザ手術である、
ことを特徴とする請求項１〜請求項６のいずれか一項に記載の診療支援システム。
【請求項８】
前記手術情報は、前記レーザ手術におけるレーザの照射回数を表す照射回数情報を含み、
前記制御手段は、前記照射回数情報に基づいて、各レーザ手術における照射回数を前記表示手段に表示させる、
ことを特徴とする請求項７に記載の診療支援システム。
【請求項９】
前記手術情報は、被手術眼が左眼であるか右眼であるかを表す被手術眼情報を含み、
前記制御手段は、前記被手術眼情報に基づいて、各眼科手術における被手術眼の左右の別を前記表示手段に表示させる、
ことを特徴とする請求項７に記載の診療支援システム。
【請求項１０】
前記記憶手段は、被手術眼の撮影画像を記憶し、
前記制御手段は、前記手術情報とともに前記撮影画像を表示させる、
ことを特徴とする請求項７に記載の診療支援システム。
【請求項１１】
操作手段を更に備え、
前記記憶手段は、被手術眼の撮影画像を前記手術情報に関連付けて記憶し、
前記制御手段は、前記表示手段に表示された手術情報が前記操作手段を用いて指定されたときに、前記指定された手術情報に関連付けられた撮影画像を前記記憶手段から読み出して前記表示手段に表示させる、
ことを特徴とする請求項７に記載の診療支援システム。
【請求項１２】
記憶手段及び表示手段を有するコンピュータに、
患者に対して実施された各手術の手術情報を前記記憶手段に記憶させ、
予め指定された種類の手術の手術情報に対して識別情報を付与させ、
前記識別情報が付与された手術情報と前記識別情報が付与されていない手術情報とを異なる表示態様で前記表示手段に表示させる、
ことを特徴とするプログラム。
【発明の詳細な説明】
【技術分野】
【０００１】
この発明は、診療行為を支援する診療支援システム及びプログラムに関し、特に、患者に対して実施された手術についての情報を管理する技術に関する。
【背景技術】
【０００２】
近年、医療機関における情報の電子化が進められている。たとえば、各種の診療内容を電子的に記録するシステムが普及してきている（たとえば特許文献１参照）。このようなシステムには、問診に関する情報（問診情報）、所見に関する情報（所見情報）、オーダに関する情報（オーダ情報）、手術に関する情報（手術情報）などを含む電子カルテを作成して管理する機能が設けられている。
【０００３】
また、このようなシステムには、一般に、各情報のリストを表示する機能が設けられている。たとえば、オペレータが手術情報の表示を要求すると、当該患者に対して過去に実施された各手術の日時、種類、身体部位等を時系列に沿って一覧表示するようになっている。
【０００４】
【特許文献１】特開２００２−１３２９３４号公報
【発明の開示】
【発明が解決しようとする課題】
【０００５】
この手術歴の一覧表示によれば、当該患者の手術歴を一目で確認するというメリットはあるが、次のような場合には手術歴の把握が困難になることがある。すなわち、一人の患者に対して複数種類の手術を実施した場合であって、特定の手術の回数が他の手術と比べて非常に多い場合、手術歴のリストにおける当該特定の手術の登場回数が非常に多くなる。そうすると、他の手術の情報をリストから探し出すのが難しくなり、また、所望の情報を見逃すおそれもある。
【０００６】
そのような場合の一例として、眼科のレーザ手術がある。眼科のレーザ手術は、たとえば眼底において網膜が剥離した領域や新生血管が存在する領域などを治療するために用いられる。その際、レーザの照射を数百〜数千回程度行うのが一般的である。従来は、一回の手術で全てのレーザ照射を実施していたが、患者の気持ちが悪くなるなど患者への負担が大きかったことから、近年では複数回に分けて各回の照射回数を減らすようになってきている。患者がたとえば糖尿病等を患っている場合には、レーザ手術だけでなく他の手術を行うことも多々ある。また、高齢の患者においては、白内障や緑内障の手術を別途に行うことも少なくない。したがって、これらの患者の手術歴のリストは、多数のレーザ手術の情報が列挙され、それらの間に他の手術の情報が配置されたものとなる。このようにレーザ手術の情報が多数列挙されているリストの中から他の手術の情報を探し出すのは困難である。
【０００７】
この発明は、このような問題を解決するためになされたもので、手術歴の把握を容易化することが可能な診療支援システム及びプログラムを提供することを目的とする。
【課題を解決するための手段】
【０００８】
上記目的を達成するために、請求項１に記載の発明は、患者に対して実施された各手術の手術情報を記憶する記憶手段と、表示手段と、予め指定された種類の手術の手術情報に対して識別情報を付与する付与手段と、前記識別情報が付与された手術情報と前記識別情報が付与されていない手術情報とを異なる表示態様で前記表示手段に表示させる制御手段と、を備えることを特徴とする診療支援システムである。
【０００９】
また、請求項２に記載の発明は、請求項１に記載の診療支援システムであって、前記手術情報は、手術が実施された日時を表す手術日時情報を含み、前記制御手段は、前記手術日時情報に基づいて、前記識別情報が付与された手術情報を時系列に応じて並べた第１のリスト情報と、前記識別情報が付与されていない手術情報を時系列に応じて並べた第２のリスト情報とを前記表示手段に表示させる、ことを特徴とする。
【００１０】
また、請求項３に記載の発明は、請求項２に記載の診療支援システムであって、前記制御手段は、前記第１のリスト情報と前記第２のリスト情報とを並べて表示させる、ことを特徴とする。
【００１１】
また、請求項４に記載の発明は、請求項１に記載の診療支援システムであって、前記手術情報は、手術が実施された日時を表す手術日時情報を含み、前記制御手段は、前記手術日時情報に基づいて、前記識別情報が付与された手術情報と前記識別情報が付与されていない手術情報とを時系列に応じて並べたリスト情報を前記表示手段に表示させる、ことを特徴とする。
【００１２】
また、請求項５に記載の発明は、請求項４に記載の診療支援システムであって、前記制御手段は、前記識別情報が付与された手術情報と前記識別情報が付与されていない手術情報とを異なる表示色で表示させる、ことを特徴とする。
【００１３】
また、請求項６に記載の発明は、で請求項４に記載の診療支援システムあって、前記制御手段は、前記識別情報が付与された手術情報及び前記識別情報が付与されていない手術情報のいずれか一方に対して付帯情報を表示させる、ことを特徴とする。
【００１４】
また、請求項７に記載の発明は、請求項１〜請求項６のいずれか一項に記載の診療支援システムであって、前記手術情報は、眼科手術についての情報であり、前記予め指定された種類の手術は、レーザ手術である、ことを特徴とする。
【００１５】
また、請求項８に記載の発明は、請求項７に記載の診療支援システムであって、前記手術情報は、前記レーザ手術におけるレーザの照射回数を表す照射回数情報を含み、前記制御手段は、前記照射回数情報に基づいて、各レーザ手術における照射回数を前記表示手段に表示させる、ことを特徴とする。
【００１６】
また、請求項９に記載の発明は、請求項７に記載の診療支援システムであって、前記手術情報は、被手術眼が左眼であるか右眼であるかを表す被手術眼情報を含み、前記制御手段は、前記被手術眼情報に基づいて、各眼科手術における被手術眼の左右の別を前記表示手段に表示させる、ことを特徴とする。
【００１７】
また、請求項１０に記載の発明は、請求項７に記載の診療支援システムであって、前記記憶手段は、被手術眼の撮影画像を記憶し、前記制御手段は、前記手術情報とともに前記撮影画像を表示させる、ことを特徴とする。
【００１８】
また、請求項１１に記載の発明は、請求項７に記載の診療支援システムであって、操作手段を更に備え、前記記憶手段は、被手術眼の撮影画像を前記手術情報に関連付けて記憶し、前記制御手段は、前記表示手段に表示された手術情報が前記操作手段を用いて指定されたときに、前記指定された手術情報に関連付けられた撮影画像を前記記憶手段から読み出して前記表示手段に表示させる、ことを特徴とする。
【００１９】
また、請求項１２に記載の発明は、記憶手段及び表示手段を有するコンピュータに、患者に対して実施された各手術の手術情報を前記記憶手段に記憶させ、予め指定された種類の手術の手術情報に対して識別情報を付与させ、前記識別情報が付与された手術情報と前記識別情報が付与されていない手術情報とを異なる表示態様で前記表示手段に表示させる、ことを特徴とするプログラムである。
【発明の効果】
【００２０】
この発明によれば、予め指定された種類の手術の手術情報に対して識別情報を付与するとともに、識別情報が付与された手術情報と付与されていない手術情報とを異なる表示態様で表示させることができる。このように、手術の種類に応じて手術情報を分類し、分類毎に異なる態様で表示させることにより、手術歴の把握を容易化することが可能である。
【００２１】
特に、他の手術と比べて多数実施される手術の表示態様を相異させることにより、比較的少数である他の手術の履歴を容易に把握することが可能となる。
【００２２】
また、多数回に亘って実施される手術の表示態様を相異させることにより、その手術の実施回数や実施間隔を容易に把握することが可能となる。
【発明を実施するための最良の形態】
【００２３】
この発明に係る診療支援システム及びプログラムの実施形態の一例について、図面を参照しながら詳細に説明する。
【００２４】
［概要］
この実施形態に係る診療支援システム及びプログラムは、患者に対して実施された手術の手術情報を管理する技術に関するものである。この実施形態は、特定の手術の手術情報と、その他の手術の手術情報とを異なる表示態様で表示させることにより、オペレータが手術歴を容易に把握できるようにするものである。
【００２５】
このような技術は、特に眼科分野において好適に利用されると考えられる。すなわち、眼科分野においては、他の分野と比較して多数の手術が実施され、更に、その大多数が特定種類の手術、つまりレーザ手術であるからである。ここで、レーザ手術には、光凝固治療や光線力学的療法など、眼にレーザを照射して行う各種の手術が含まれる。
【００２６】
なお、複数の種類の手術を実施する診療科においても、この実施形態を適用することは可能である。また、全科の電子カルテにおいても、この実施形態を適用することが可能である。その場合、たとえば各科毎に異なる表示態様で表示させてもよいし、特定の科（１つ以上）とその他の科とを異なる表示態様で表示させてもよい。
【００２７】
以下、この実施形態に係る診療支援システムについて説明した後に、この実施形態に係るプログラムについて説明する。ここでは、眼科分野に適用される実施形態を説明する。
【００２８】
［診療支援システムの構成］
図１は、この実施形態に係る診療支援システムの機能的構成の例を表している。この診療支援システム１は、図１に示すように、院内ＬＡＮ（Ｌｏｃａｌ  Ａｒｅａ  Ｎｅｔｗｏｒｋ）等の通信回線を介して撮影装置２に接続されている。撮影装置２は、患者の手術部位等を撮影する装置である。
【００２９】
眼科分野で用いられる撮影装置２としては、たとえば、眼底カメラ、スリットランプ（細隙灯顕微鏡）、ＯＣＴ（Ｏｐｔｉｃａｌ  Ｃｏｈｅｒｅｎｃｅ  Ｔｏｍｏｇｒａｐｈｙ）装置、ＳＬＯ（Ｓｃａｎｎｉｎｇ  Ｌａｓｅｒ  Ｏｐｈｔｈａｌｍｏｓｃｏｐｅ）装置などがある。
【００３０】
なお、眼科以外の分野においては、Ｘ線ＣＴ（Ｃｏｍｐｕｔｅｄ  Ｔｏｍｏｇｒａｐｈｙ）装置や、ＭＲＩ（Ｍａｇｎｅｔｉｃ  Ｒｅｓｏｎａｎｃｅ  Ｉｍａｇｉｎｇ）装置のように、被検体の内部形態や機能を撮影する医用画像診断装置などがある。また、皮膚科等のように手術部位を撮影する（デジタル）カメラなどを用いてもよい。撮影装置２は、手術部位等を撮影するための任意の装置であってよい。
【００３１】
診療支援システム１には、図１に示すように、制御部１１、記憶部１２、識別情報付与部１３、操作部１４及び表示部１５が設けられている。
【００３２】
〔制御部〕
制御部１１は、診療支援システム１の各部を制御する。たとえば、制御部１１は、表示部１５に各種の画面やデータを表示させる。また、制御部１１は、操作部１４が操作されたときに、その操作内容に応じた処理を診療支援システム１に実行させる。制御部１１は、この発明の「制御手段」の一例である。
【００３３】
また、制御部１１は、院内ＬＡＮ等の通信回線を介してデータ通信を行うＬＡＮカード等の通信インターフェイスを備えていてもよい。
【００３４】
〔記憶部〕
記憶部１２は、手術情報記憶部１２ａと撮影画像記憶部１２ｂが設けられている。また、記憶部１２には、各患者の電子カルテ情報が記憶されている。記憶部１２は、この発明の「記憶手段」の一例である。記憶部１２は、院内ＬＡＮ等の通信回線を介してデータ通信を行う通信インターフェイスを備えていてもよい。
【００３５】
手術情報記憶部１２ａには、手術情報が記憶されている。各手術情報には、患者ＩＤ等の患者識別情報、手術日時情報、手術種類情報、手術部位情報などが含まれている。なお、これらの他にも、たとえば手術室や執刀医などを表す情報が含まれていてもよい。
【００３６】
同一患者の手術情報に対して同じ患者識別情報を割り当てることにより、手術情報は各患者毎に作成される。更に、各患者の手術情報には、その患者に対して過去に実施された手術に関する情報が、各手術毎に記録されている。各手術は、手術日時情報によって識別してもよいし、手術ＩＤを別途に付すことで識別してもよい。
【００３７】
手術日時情報には、手術が実施された日時を表す情報が含まれており、たとえば手術を実施した年、月、日、開始時刻、終了時刻などが含まれる。
【００３８】
手術種類情報には、手術の種類を表す情報が含まれている。眼科分野における手術の種類としては、たとえば、ＩＯＬ（眼内レンズ）移植手術、白内障手術、緑内障手術、硝子体手術、網膜剥離手術、眼瞼内反症手術、霞粒腫手術、眼瞼下垂症手術、斜視手術、翼状片手術、光凝固治療、光線力学的療法などがある。
【００３９】
手術部位情報には、手術が施された身体部位を表す情報が含まれている。眼科分野においては、たとえば、被手術眼が左眼であるか右眼であるかを表す情報が含まれる。また、被手術眼に対する手術部位（眼底、硝子体、瞼等）を表す情報が含まれていてもよい。
【００４０】
撮影画像記憶部１２ｂには、撮影装置２により撮影された被手術眼の画像（の画像データ）が記憶される。各撮影画像には、患者識別情報や手術識別情報等を含む付帯情報が付されている。ここで、手術識別情報とは、たとえば手術日時情報や手術ＩＤなど、その撮影画像が取得された手術を識別可能とする情報である。
【００４１】
〔識別情報付与部〕
識別情報付与部１３は、特定の手術の手術情報に対して識別情報（特定手術識別情報）を付与する。この特定の手術は、予め指定された種類の手術である。特定の手術は、たとえばデフォルトで指定することもできるし、オペレータ等が指定することもできる。
【００４２】
特定手術識別情報の具体例を説明する。特定手術識別情報としては、たとえばフラグを用いることができる。それにより、一患者の全ての手術情報は、フラグが立てられた手術情報と、立てられていない手術情報とに分類される。
【００４３】
また、前述した手術種類情報を特定手術識別情報として用いることも可能である。すなわち、特定の手術種類情報を予め指定しておくことにより、この特定の手術種類情報を含む手術情報と、それ以外の手術種類情報を含む手術情報とに分類できる。なお、この発明における「識別情報を付与する」には、この具体例のように、既に存在する情報を利用する場合も含まれるものとする。
【００４４】
なお、特定手術識別情報は、上記の例に限定されるものではなく、手術情報を２つ以上のグループに分類することを可能とする任意の情報を適用することが可能である。識別情報付与部１３は、この発明の「付与手段」の一例である。
【００４５】
〔操作部〕
操作部１４は、オペレータが診療支援システム１を操作するときや、データを入力するときに使用される。操作部１４は、オペレータによる操作を受けると、その操作内容に応じた信号を生成して制御部１１に入力する。制御部１１は、この信号に基づいて診療支援システム１を制御する。
【００４６】
操作部１４は、キーボード、マウス、トラックボール、ジョイスティック、コントロールパネルなど、任意の操作デバイスや入力デバイスを含んで構成されている。操作部１４は、この発明の「操作手段」の一例である。
【００４７】
〔表示部〕
表示部１５は、制御部１１の制御にしたがって各種の画面やデータを表示する。表示部１５は、ＬＣＤ（Ｌｉｑｕｉｄ  Ｃｒｙｓｔａｌ  Ｄｉｓｐｌａｙ）や、ＣＲＴ（Ｃａｔｈｏｄｅ  Ｒａｙ  Ｔｕｂｅ）ディスプレイなど、任意の表示デバイスによって構成される。表示部１５は、この発明の「表示手段」の一例である。
【００４８】
なお、この実施形態においては、操作部１４と表示部１５とをそれぞれ別個に設けているが、タッチパネル方式のＬＣＤやペンタブレットなどのように、操作手段と表示手段とを一体化した構成を適用することも可能である。
【００４９】
［システム構成の具体例］
診療支援システム１のシステム構成の具体例を説明する。図２は、診療支援システム１の具体例を表している。この診療支援システム１は、情報表示装置１００と情報管理装置２００とを含んで構成されている。
【００５０】
情報表示装置１００は、たとえば、電子カルテの閲覧作業や編集作業に用いられるコンピュータである。情報管理装置２００は、各種の情報を保管し管理するサーバ等のコンピュータである。情報管理装置２００が保管する情報としては、手術情報を含む電子カルテ情報や撮影画像などがある。
【００５１】
情報表示装置１００と情報管理装置２００は、院内ＬＡＮ等の通信回線Ｎを介して接続されている。オペレータは、手術情報の閲覧要求を情報表示装置１００に入力する。情報表示装置１００は、入力された閲覧要求を情報管理装置２００に送信する。情報管理装置２００は、この閲覧要求に基づいて手術情報を検索し、その検索結果を情報表示装置１００に送信する。情報表示装置１００は、この検索結果、すなわち手術情報を表示する。
【００５２】
オペレータは、表示された手術情報の編集を行うことができる。この編集作業としては、新規の手術情報を入力したり、過去の手術情報を修正したりすることができる。情報表示装置１００は、手術情報の編集結果を情報管理装置２００に送信する。情報管理装置２００は、この編集結果に基づいて当該手術情報の内容を更新する。
【００５３】
情報管理装置２００は、通信回線Ｎを介して撮影装置２に接続されている。撮影装置２は、通信回線Ｎを通じて撮影画像を情報管理装置２００に送信する。前述の付帯情報は、撮影装置２が生成してもよいし、情報管理装置２００が生成してもよい。また、情報表示装置１００が付帯情報を生成するようにしてもよい。付帯情報が付された撮影画像は、図１の撮影画像記憶部１２ｂに記憶される。
【００５４】
次に、情報表示装置１００及び情報管理装置２００の構成例を説明する。情報表示装置１００は、たとえば、制御部１１、識別情報付与部１３、操作部１４及び表示部１５を含んで構成される。また、情報管理装置２００は、記憶部１２を含んで構成される。
【００５５】
図３は、情報表示装置１００のハードウェア構成の一例を表している。情報表示装置１００は、従来のコンピュータと同様に、ＣＰＵ等のマイクロプロセッサ１０１、主記憶装置として機能するＲＡＭ１０２、外部記憶装置として機能するＲＯＭ１０３、同じく外部記憶装置として機能するハードディスクドライブ（ＨＤＤ）１０４、ディスプレイ１０５、キーボード１０６、マウス１０７及び通信インターフェイス（Ｉ／Ｆ）１０８を含んで構成されている。これら各部は、バス１０９を介して接続されている。
【００５６】
マイクロプロセッサ１０１は、ハードディスクドライブ１０４に格納されたプログラム１０４ａをＲＡＭ１０２上に展開することにより、この実施形態に特有の動作を情報表示装置１００に実行させる。プログラム１０４ａは、この発明の「プログラム」の一例である。
【００５７】
また、マイクロプロセッサ１０１は、情報表示装置１００の各部の制御や各種の演算処理を実行する。制御部１１は、マイクロプロセッサ１０１を含んで構成される。また、識別情報付与部１３は、マイクロプロセッサ１０１を含んで構成される。
【００５８】
ディスプレイ１０５、キーボード１０６、マウス１０７は、情報表示装置１００のユーザインターフェイスとして使用される。表示部１５は、ディスプレイ１０５を含んで構成される。
【００５９】
キーボード１０６は、文字や数字等をタイピング入力するためのデバイスとして用いられる。マウス１０７は、ディスプレイ１０５に表示されるマウスポインタを移動させて表示画面上のオブジェクトを選択したり、各種動作を実行させたりするためのポインティングデバイスである。操作部１４は、キーボード１０６やマウス１０７を含んで構成される。
【００６０】
通信インターフェイス１０８は、マイクロプロセッサ１０１の制御に基づいて、通信回線Ｎを介したデータ通信を行う。通信インターフェイス１０８は、通信回線Ｎに準拠したＬＡＮカード等のネットワークアダプタを含んで構成される。通信インターフェイス１０８は、たとえば制御部１１に含まれる。
【００６１】
情報管理装置２００は、たとえば図３に示す情報表示装置１００と同様に構成される。なお、情報管理装置２００は、大量の電子カルテ情報や撮影画像等のデータを保管するために、大容量の記憶装置を備えていることが望ましい。情報管理装置２００としては、たとえば汎用のファイルサーバを用いることができる。
【００６２】
［診療支援システムの使用形態］
診療支援システム１の使用形態について説明する。図４に示すフローチャートは、診療支援システム１の使用形態の一例を表している。また、図５〜図８は、診療支援システム１により表示される画面の一例を表している。以下、手術歴の閲覧及び編集を行う際の使用形態の例を説明する。
【００６３】
オペレータが操作部１４を操作して患者ＩＤ等を入力すると、制御部１１は、この患者ＩＤ等に対応する電子カルテ情報を記憶部１２から取得する。更に、制御部１１は、この電子カルテ情報に基づいて、図５に示す電子カルテ表示画面１０００を表示部１５に表示させる（Ｓ１）。
【００６４】
ここで、電子カルテ表示画面１０００について説明する。電子カルテ表示画面１０００には、患者情報表示部１０１０、基本情報表示部１０２０、シェーマ図表示部１０３０、サムネイル表示部１０４０、文字所見表示部１０５０、検査情報表示部１０６０、操作ボタン部１０７０、医師情報表示部１１００及び操作ボタン部１２００が設けられている。
【００６５】
患者情報表示部１０１０には、この患者の患者ＩＤや患者氏名等の患者情報が表示される。
【００６６】
基本情報表示部１０２０には、この患者に関する基本的な情報として、傷病名、特記事項、メモ、来院歴等が表示される。また、基本情報表示部１０２０には、この患者の手術歴表示画面（後述；図６参照）を表示させるための操作ボタン１０２０ａと、この患者の手術歴の概要を表示する手術歴表示部１０２０ｂとが設けられている。
【００６７】
シェーマ図表示部１０３０には、過去に作成されたシェーマ図が表示される。サムネイル表示部１０４０には、このシェーマ図のサムネイル画像が表示される。オペレータが操作部１４を操作して所望のサムネイル画像を選択すると、制御部１１は、このサムネイル画像に対応するシェーマ図をシェーマ図表示部１０３０に表示させる。また、操作ボタン部１０７０には、シェーマ図を作成するための各種のツールを用いるための複数の操作ボタンが設けられている。
【００６８】
文字所見表示部１０５０には、過去に入力されたコメントや検査評価などの所見情報が表示される。検査情報表示部１０６０には、視力検査や眼圧検査の検査結果が表示される。
【００６９】
医師情報表示部１１００には、この患者の担当医の識別情報や、電子カルテ情報の記入者の識別情報が表示される。これらの識別情報としては、医師の氏名や医師ＩＤなどが用いられる。
【００７０】
操作ボタン部４１００には、複数の操作ボタンが配設されている。オペレータは、これらの操作ボタンを操作することにより、他の画面の表示処理や、データの取り込み処理や、電子カルテの編集作業の終了処理などを指示する。以上で、電子カルテ表示画面１０００の説明を終了して使用形態の説明に戻る。
【００７１】
オペレータは、電子カルテ表示画面１０００の操作ボタン１０２０ａを操作（クリック）する（Ｓ２）。制御部１１は、手術情報記憶部１２ａからこの患者の手術情報を取得し、この患者の手術歴を表示部１５に表示させる。このとき、制御部１１は、レーザ手術の手術歴と、その他の手術の手術歴とを別々に表示させる（Ｓ３）。
【００７２】
図６に示す手術歴表示画面２０００は、手術歴の表示態様の一例を表している。この手術歴表示画面２０００では、レーザ手術とその他の種類の手術とが個別にリスト表示される。レーザ手術の手術情報には、前述の特定手術識別情報が予め付与されている。制御部１１は、特定手術識別情報が付与されているか否かを判断し、この判断結果により２つのリストを作成して表示させる。なお、特定手術識別情報の付与処理については後述する。
【００７３】
手術歴表示画面２０００には、患者情報表示部２０１０、手術歴表示部２１００及び手術歴表示部２２００が設けられている。患者情報表示部２０１０には、この患者の患者ＩＤや氏名などの患者情報が表示される。
【００７４】
手術歴表示部２１００には、この患者に対して過去に実施されたレーザ手術以外の手術について、その手術情報が時系列に応じた順序で表示される。各手術情報は、手術日、手術の開始時刻、手術からの経過日数、手術の種類、被手術眼の左右の別などの情報を含んでいる。
【００７５】
ここで、手術からの経過日数は、制御部１１が手術日と現在の日付とに基づいて算出する。なお、現在の日付は、たとえば、通常のコンピュータが具備する計時機能により提供される。なお、現在の日付をオペレータが入力するようにしてもよい。
【００７６】
一方、手術歴表示部２２００には、この患者に対して過去に実施されたレーザ手術の手術情報が時系列に応じた順序で表示される。各手術情報は、手術日、手術の開始時刻、手術からの経過日数、手術の種類、被手術眼の左右の別、レーザの照射回数などの情報を含んでいる。
【００７７】
手術歴表示部２１００には追加ボタン２１１０が付設されている。同様に、手術歴表示部２２００にも追加ボタン２２１０が設けられている。オペレータが追加ボタン２１１０又は追加ボタン２２１０を操作（クリック）すると（Ｓ４）、制御部１１は、図７に示す手術歴追加画面３０００を表示部１５に表示させる（Ｓ５）。
【００７８】
手術歴追加画面３０００には、手術の種類が列挙された手術種類表示部３１００が設けられている。オペレータは、列挙された手術の種類のうちから所望のものを選択し、ＯＫボタン３３００をクリックすることにより選択結果を確定する（Ｓ６）。これらの操作は、たとえばクリック操作により行う。
【００７９】
手術種類表示部３１００に列挙されていない手術の種類を追加する場合、オペレータは、手術種類名称入力ボタン３２００をクリックする。それを受けて、制御部１１は、図示しない入力画面をポップアップ表示させる。オペレータは、新たな手術の種類（文字列等）を入力する。制御部１１は、この新たな手術の種類を手術種類表示部３１００に追加して表示させる。オペレータは、上記と同様にして手術の種類の選択を行う。
【００８０】
なお、追加ボタン２１１０が操作されたときに表示させる手術歴追加画面と、追加ボタン２２１０が操作されたときに表示させる手術歴追加画面は、異なっていてもよい。その場合、前者の手術歴追加画面には、レーザ手術以外の手術の種類が列挙される。一方、後者の手術歴追加画面には、レーザ手術に含まれる手術の種類が列挙される。
【００８１】
制御部１１は、選択された手術の種類に基づいて新たな手術情報を作成する（Ｓ７）。このとき、オペレータは、必要に応じて、手術日、開始時刻、被手術眼の左右の別、レーザの照射回数などを入力する。
【００８２】
識別情報付与部１３は、この新たな手術情報が特定の種類の手術（ここではレーザ手術）についての手術情報である場合（Ｓ８；Ｙ）、この新たな手術情報に特定手術識別情報を付与する（Ｓ９）。
【００８３】
制御部１１は、作成された新たな手術情報を、手術歴表示部２１００又は手術歴表示部２２００に追加表示させる（Ｓ１０）。このとき、この新たな手術情報は、特定手術識別情報が付与されない場合には手術歴表示部２１００に追加表示され、付与された場合には手術歴表示部２２００に追加表示される。
【００８４】
更に、制御部１１は、この新たな手術情報を手術情報記憶部１２ａに格納する（Ｓ１１）。
【００８５】
また、オペレータは、手術歴表示部２１００又は手術歴表示部２２００に表示された手術情報を指定する（Ｓ１２）。この指定操作は、たとえばダブルクリック操作により行う。
【００８６】
制御部１１は、オペレータが指定した手術情報に関連付けられた撮影画像を撮影画像記憶部１２ｂから取得して表示部１５に表示させる（Ｓ１３）。
【００８７】
図８は、オペレータが手術歴表示部２２００に表示された手術情報の一つを指定した場合の、撮影画像の表示態様の例を表している。図８は、手術日が「２００６／１１／１２」の手術情報が指定された場合の例である。制御部１１は、この手術情報が指定されたことを受け、この手術情報に関連付けられた撮影画像Ｇを撮影画像記憶部１２ｂから取得し、画像表示画面４０００上に表示させる。画像表示画面４０００は、たとえば、手術歴表示部２２００に重ならないように表示される。画像表示画面４０００には、更に、指定された手術情報を表す情報として、手術日情報４１００を表示させる。オペレータは、撮影画像Ｇの閲覧したら、画像表示画面４０００を閉じる。
【００８８】
以上のようにして手術情報や撮影画像の閲覧や編集を適宜に行い、その作業が終了したら閉じるボタン２３００をクリックする（Ｓ１４）。それを受けた制御部１１は、手術歴表示画面２０００を閉じるとともに、電子カルテ表示画面１０００を表示させる。以上で、使用形態の説明を終了する。
【００８９】
［作用・効果］
診療支援システム１の作用及び効果を説明する。
【００９０】
診療支援システム１は、制御部１１、記憶部１２、識別情報付与部１３及び表示部１５を備えている。記憶部１２は、患者に対して実施された各手術の手術情報を記憶する。識別情報付与部１３は、予め指定された種類の手術（ここではレーザ手術）の手術情報に対して特定手術識別情報を付与する。制御部１１は、特定手術識別情報が付与された手術情報と、付与されていない手術情報とを異なる表示態様で表示部１５に表示させる。
【００９１】
より具体的に説明すると、制御部１１は、図６の手術歴表示画面２０００に示すように、特定手術識別情報が付与された手術情報を時系列に応じた順序で並べて手術歴表示部２２００に表示させるとともに、特定手術識別情報が付与されていない手術情報を時系列に応じた順序で並べて手術歴表示部２１００に表示させる。
【００９２】
ここで、手術歴表示部２２００に表示される手術情報のリストは、この発明の「第１のリスト情報」の一例である。手術歴表示部２１００に表示される手術情報のリストは、この発明の「第２のリスト情報」の一例である。
【００９３】
このように、手術の種類に応じて過去の手術情報を分類し、各分類毎に個別のリストを形成して表示させることにより、手術歴の把握を容易化することが可能である。
【００９４】
特に、レーザ手術のように、他の手術と比べて多数実施される手術を別途にリスト化することにより、他の手術の履歴を容易に把握することが可能となる。
【００９５】
また、レーザ手術のように多数回に亘って実施される手術のリストを表示させることにより、その手術の実施回数や実施間隔を容易に把握することが可能となる。
【００９６】
図６の手術歴表示画面２０００に示すように、診療支援システム１は、特定手術識別情報が付与された手術情報（レーザ手術の手術情報）のリストと、付与されていない手術情報のリスト情報とを並べて表示させるようになっている。それにより、双方のリストの内容を容易に比較することが可能となる。また、この患者に対して過去にどのような手術がどれだけ実施されたかを容易に把握することができる。
【００９７】
また、診療支援システム１によれば、レーザ手術の手術情報には、レーザの照射回数を表す情報（照射回数情報）が含まれており、この照射回数情報に基づいて、レーザ手術における照射回数を表示させるようになっている。それにより、各レーザ手術におけるレーザの照射回数を容易に把握することができる。この情報は、たとえば、将来のレーザの照射回数や将来のレーザ手術の実施時期などを決定する際に参照することができる。なお、過去のレーザの照射回数の累積値を算出して表示するようにしてもよい。
【００９８】
また、診療支援システム１によれば、被手術眼が左眼であるか右眼であるかを表す情報（被手術眼情報）が含まれており、この被手術眼情報に基づいて、各眼科手術における被手術眼の左右の別を表示させるようになっている。それにより、左眼及び右眼のそれぞれの手術歴を容易に把握することができる。なお、各眼毎にリストを並び替えられるようにしてもよい。
【００９９】
また、診療支援システム１によれば、被手術眼の撮影画像を記憶し、この撮影画像を手術情報とともに表示することができる。特に、各撮影画像は、それが撮影された手術の手術情報と関連付けられており、リスト表示された手術情報が選択的に指定されたことに対応し、指定された手術情報に関連付けられた撮影画像を表示するようになっている。それにより、注目する手術の撮影画像を容易に閲覧することが可能となる。
【０１００】
［変形例］
以上に詳述した実施形態は、この発明に係る診療支援システムの一例に過ぎない。よって、この発明の要旨の範囲内における任意の変形を適宜に施すことが可能である。
【０１０１】
上記の実施形態では、識別情報が付与された手術情報のリスト情報と、付与されていない手術情報のリスト情報とをそれぞれ形成して表示するようになっているが、互いの手術情報をオペレータが区別できるものである限り、その表示態様は任意である。
【０１０２】
たとえば、一患者の手術情報を時系列に応じて並べたリスト情報を形成するとともに、識別情報が付与された手術情報と、付与されていない手術情報とを、互いに異なる表示色で表示させるように構成することができる。このように構成しても、上記の実施形態と同様に、手術歴の把握の容易化を図ることが可能である。
【０１０３】
また、一患者の手術情報を時系列に応じて並べたリスト情報を形成するとともに、識別情報が付与された手術情報のみに付帯情報を表示させたり、付与されていない手術情報のみに付帯情報を表示させたりしてもよい。この付帯情報としては、たとえば、チェックマークなどを用いることができる。このように構成して、上記の実施形態と同様に、手術歴の把握の容易化を図ることが可能である。
【０１０４】
なお、この発明は、以上の具体例に限定されるものではなく、識別情報の有無に応じて異なる表示態様で手術情報を表示する限りにおいて任意の表示態様を適用することが可能である。すなわち、識別情報が付与された手術情報と付与されていない手術情報とを判別可能とする表示態様であれば十分である。
【０１０５】
上記の実施形態では、一患者の手術情報を２つに分類しているが、３つ以上に分類して各々異なる表示態様で表示させるように構成してもよい。その場合、識別情報付与部１３は、手術の種類に応じて異なる種類の識別情報を手術情報に付与する（たとえば複数種類のフラグを付与する）。制御部１１は、その識別情報の種類に応じて手術情報の表示態様を制御する。
【０１０６】
上記の実施形態では、手術情報とともに撮影画像を表示しているが、当該手術に関連する任意の情報を手術情報ととともに表示させることができる。具体的には、たとえば、手術時に取得されたバイタル情報（心電図、血圧、脳波等）や、手術前や手術後に実施された検査の結果などを、手術情報とともに表示させることができる。その場合、表示させる情報と手術情報とを予め関連付けておく。この関連付けは、たとえば撮影画像の場合と同様して行うことができる。
【０１０７】
［プログラムについて］
この発明に係るプログラムは、記憶手段及び表示手段を有するコンピュータに次の処理を実行させる：（１）患者に対して実施された各手術の手術情報を記憶手段に記憶させる；
（２）予め指定された種類の手術の手術情報に対して識別情報を付与させる；（３）識別情報が付与された手術情報と識別情報が付与されていない手術情報とを異なる表示態様で表示手段に表示させる。上記の実施形態におけるプログラム１０４ａは、この発明の「プログラム」の一例である。
【０１０８】
このようなプログラムによれば、手術の種類に応じて過去の手術情報を分類し、各分類毎に異なる表示態様で手術情報を表示させることができるので、手術歴の把握を容易化することが可能である。
【０１０９】
このプログラムは、コンピュータのドライブ装置によって読み取り可能な任意の記憶媒体に記憶させることができる。たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などの記憶媒体を用いることが可能である。また、ハードディスクドライブやメモリ等の記憶装置に記憶させることも可能である。更に、インターネットやＬＡＮ等のネットワークを通じてこのプログラムを送信することも可能である。
【図面の簡単な説明】
【０１１０】
【図１】この発明に係る診療支援システムの実施の形態の構成の一例を表す概略ブロック図である。
【図２】この発明に係る診療支援システムの実施の形態の構成の一例を表す概略図である。
【図３】この発明に係る診療支援システムの実施の形態のハードウェア構成の一例を表す概略ブロック図である。
【図４】この発明に係る診療支援システムの実施の形態の使用形態の一例を表すフローチャートである。
【図５】この発明に係る診療支援システムの実施の形態により表示される画面の一例を表す概略図である。
【図６】この発明に係る診療支援システムの実施の形態により表示される画面の一例を表す概略図である。
【図７】この発明に係る診療支援システムの実施の形態により表示される画面の一例を表す概略図である。
【図８】この発明に係る診療支援システムの実施の形態により表示される画面の一例を表す概略図である。
【符号の説明】
【０１１１】
１  診療支援システム
２  撮影装置
１１  制御部
１２  記憶部
１２ａ  手術情報記憶部
１２ｂ  撮影画像記憶部
１３  識別情報付与部
１４  操作部
１５  表示部
１００  情報表示装置
２００  情報管理装置
１０００  電子カルテ表示画面
２０００  手術歴表示画面
３０００  手術歴追加画面
４０００  画像表示画面
【図１】
2008225984.tif 000003
【図２】
2008225984.tif 000004
【図３】
2008225984.tif 000005
【図４】
2008225984.tif 000006
【図５】
2008225984.tif 000007
【図６】
2008225984.tif 000008
【図７】
2008225984.tif 000009
【図８】
2008225984.tif 000010